(57)【特許請求の範囲】
【請求項１】
着用時上部となる部分の中央に、首を入れることが可能な大きさの円形で、その左右いずれかの一方に一部切り残しのある第１の切り込みと、前記切込みにより形成される円形の布片と、前記切り残しの上端より前記円形の外側の斜め下外方向に前記第１の切り込みと併せれば頭を通すことが可能となる長さの第２の切込みとを有することを特徴とするエプロン。
【請求項２】
前記切り残しの下端より前記第１の切り込みの内側にテープ片を形成する第３の切込みと、前記切込みにより形成されるテープ状の布片とを有することを特徴とする請求項１のエプロン。
【発明の詳細な説明】
【技術分野】
【０００１】  本発明は、飲食時の落下物、理容時に落下する毛髪や理容液、あるいは歯科治療時に飛散する薬液などによる、衣服等の汚染を防止するためのエプロンに関する。
【背景技術】
【０００２】  エプロンの本来の目的は、身体衣服の汚染防止である。しかし、エプロンは先ず身体へ装着されなければ使用できない。その装着の方法として、エプロン上部の紐又はテープを首の後ろで結ぶ又は接着する方法（例えば、特許文献１参照）がある。
また、円形の孔又はＴ字形の切り込みの中に頭を通し、孔又は切り込みの上部を首の後ろに掛ける方法（例えば、特許文献２及び特許文献３参照）がある。
【先行技術文献】
【特許文献】
【０００３】
【特許文献１】  実開平７−２４１９号公報
【特許文献２】  実開平７−１９３１６号公報
【特許文献３】  実開平４−２１５０８号公報
【発明の概要】
【発明が解決しようとする課題】
【０００４】  本発明が解決しようとする課題の１は、エプロンの身体への装着に際しての動作手間に関する。２本の紐又はテープを両手で持ち、首の後ろに回して結んだり、これを重ねて接着したりする動作は、使用者が自ら装着する場合、介護者が被介護者に装着する場合、いずれも手間がかかることであり、このような装着の手間は削減又は軽減すべき課題である。【０００５】  課題の２は、エプロンの費用に関する。身体への装着用の紐は、汚染防止というエプロンの本来の目的とは直接関係が無い。従って、この紐に関する材料費、製作費、取り付け費、切り込み費、接着剤や接着用具等の費用は、削減すべき課題である。
また、エプロンが本体やポケットなど複数の構成要素からなったり、構成要素の製作に縁取りや撥水性を付与するなどの手間が掛かったりする場合、この要素や手間を減らすことは、費用削減上の課題である。【０００６】  課題の３は、エプロンの首周りの開口空白部に関する。前述の孔又は切り込みの方法では、孔又は切り込みを、頭を通すのに充分な大きさとする必要がある。しかし、そのような大きさとした場合、エプロンを首に掛けると、首は頭より細いので、首の左右及び下方（胸上）にエプロンに依って覆われない部分、即ち汚染防止のできない恐れがある開口空白部が生じる。この首周りの開口空白部は、縮小されるべき課題である。【０００７】  本発明は、このような従来のエプロンが有していた課題を解決するものであり、エプロンの身体への装着の簡易化、費用の削減、そして首周りの開口空白部の縮小を効果的に達成するエプロンを提供することを目的としている。
【課題を解決するための手段】
【０００８】  請求項１記載の本願発明のエプロンは、着用時上部となる部分の中央に、首を入れることが可能な大きさの円形で、左右いずれかの一方に一部切り残しのある第１の切り込みと、前記切込みにより形成される円形の布片と、前記切り残しの上端より前記円形の外側の斜め下外方向に前記第１の切り込みと併せれば頭を通すことが可能となる長さの第２の切込みとを有することを特徴とする。
請求項２記載の本願発明のエプロンは、前記切り残しの下端より前記第１の切り込みの内側にテープ片を形成する第３の切込みと、前記切込みにより形成されるテープ状の布片とを有することを特徴とする。
【発明の効果】
【０００９】  本発明による請求項１のエプロンには次のような効果がある。エプロンの身体への装着に関しては、前期第一の切込み及び第２の切込みを併せて拡げると形成される孔に頭を通した後、この孔の上縁を首に掛けるだけで良く、装着が極めて簡単でその手間が軽減される。
また、従来のエプロンのように、２本の紐を首の後ろで結ぶ手間は不要である。そして、テープを接着する、又は切り込みの両側の布片を重ねて接着するという手間も不要である。【００１０】  エプロンの費用に関しては、従来のエプロンと異なり紐が無いので、紐に関する材料費、製作費、取り付け費、接着剤や接着用具などの費用が削減される。そして、エプロン形状は単純なので、製作費を低く抑えることができる。エプロン素材を極薄軽量の不織布とすれば、輸送費、保管費等も節減できる。使い捨て型エプロンとすれば洗濯費は不要となる。【００１１】  頭を通すことにより形成されたエプロンの首周りの開口空白部は、円形のエプロン片を第２の切り込み側に折り曲げてエプロン外縁や衣服の襟の下などに差込むか巻き込めば、縮小される。
また、テープ片を首の周りに巻きつけた後、テープ片の端をエプロン外縁や衣服の襟の下などに差込むか巻き込めば、開口空白部の縮小は一層確実なものとなる。
前記いずれの方法によっても、首周りの開口空白部はほぼ無くなり、本エプロンによる汚染防止性能は向上する。
【図面の簡単な説明】
【００１２】
【図１】本発明のエプロンの一実施例の平面図である
【図２】図１のエプロンの装着開始段階を示す斜視図である
【図３】図１のエプロンの円形のエプロン片を折り曲げた状況を示す平面図である
【図４】本発明のエプロンの他の実施例を示す平面図である
【図５】図４のエプロンの装着開始段階を示す斜視図である
【図６】図４のエプロンの装着中間段階を示す斜視図である
【図７】図４のエプロンの装着終了段階を示す斜視図である
【発明を実施するための形態】
【００１３】  本発明の第１の実施の形態によるエプロンは、上部中央に、首を入れることが可能な大きさの円形で一部切り残しのある第１の切り込みと、前記切り残しの上端より斜め下外方向に前記第１の切り込みと併せれば、頭を通すことが可能となる長さの第２の切込みとを有することを特徴とする。
本実施の形態によれば、第１の切り込みの内側の円形のエプロン片と第２の切り込みの下方に隣接するエプロン片とを併せて、下方に折り曲げると形成される孔に頭を通した後、第１の切り込み内側の円形の孔の上縁を首に掛けて身体に装着する。
その後、下方に折り曲げた前記円形のエプロン片を上方に引き上げエプロンの外縁の下に差し込むか巻き込めば、首周りの開口空白部を縮小することができる。
【００１４】  本発明の第２の実施の形態によるエプロンは、第１の実施の形態によるエプロンにおいて、前記第１の切り込みの切り残しの下端より第１の切り込みの内側に、テープ片を形成する第３の切り込みを入れたことを特徴とする。
本実施の形態によれば、テープ片を首に巻きつけることにより、首周りの開口空白部を確実に縮小することが出来る。
【実施例１】
【００１５】  本発明の第１の実施例を、図１、図２、図３により説明する。図１に示すとおり、第１の切り込み２の形状は、使用者の首の外周よりやや大きい円周に沿って入れた円弧である。そして、第１の切り込み２は切り残し２３（破線図示）を有し、その上端は２１、その下端は２２である。
第１の切込みによるエプロン片１１は、第１の切り込み２と、切残し２３とで形成される円形のエプロン片（布片）である。【００１６】  ところで、第１の切り込み２で形成される円形の孔２ａは、首に掛けることができる大きさであって、頭を通すことは出来ない大きさである。そこで、本実施例のエプロン１では、第１の切込み２と合わせれば、頭を通すことが可能な孔６（図２及び図５参照）を形成出来る長さの第２の切り込み３を、第１の切り込み２に連続して入れる構成とする。
第２の切り込み３の長さは、第１の切り込み２の切り残しの上端２１から第２の切り込み３の先端３１までである。そして、第２の切り込み３の形状は、緩やかな曲線である。しかし、これは直線でも良い。【００１７】  図２は、円形エプロン片１１及び第２の切込み３の下方に隣接するエプロン片１２ａを下方に折り曲げて頭を通すことが可能となる孔６を形成し、前記円形の孔の上縁を首に掛けてエプロンを身体に装着した状況を示す斜視図である。
そして、図３は、第１の切り込み２により形成される円形のエプロン片１１を第２の切込み３の方向に折り曲げた跡の円形の孔２ａを示す平面図である。前記円形のエプロン片１１をエプロン外縁下に差し込むか巻き込めば、図２に示された開口空白部６は閉鎖される。【００１８】  本実施例では、切残し２３を着用者に向かって左側に設ける構成を図示したが右側に設ける構成であっても良い。本エプロンは裏返して使用することも可能である。また、第１の切り込み２の形状は、円弧以外であっても可である。しかし本実施例のように、第１の切り込み２の形状が円弧である場合、首の断面が円形であるから、首周りに無駄な隙間、すなわち汚染の恐れのある開口空白部が生じ難いという利点がある。
【実施例２】
【００１９】  次に、本発明の第２の実施例のエプロンについて、図４、図５、図６、図７により、説明する。
図４は、本実施例２のエプロンを示す平面図である。本実施例２のエプロンは、前記実施例１のエプロンの切り残し２３の下端２２より、第１の切り込み２の内側に、テープ片１１ａを形成する形状の第３の切り込み４を有する構成である。【００２０】  上記第２の切り込み３の下に隣接するエプロン片１２ａは、第２の切り込み３と、切残し２３と、第１の切り込み２の一部と、仮想線７ａとで定まる略三角形のエプロン片（布片）に相当する。
図中の二点鎖線で示す仮想線７ａは、第２の切り込み下端３１よりの直線が、第１の切り込み２の周縁に接する接点２４に至る直線である。
前記第１の切り込み２の一部とは、切り残し下端２２と前記接点２４との間の切り込み部分である。
そして、第３の切り込み４で形成されるテープ片１１ａと第２の切り込み３の下方に隣接して形成されるエプロン片１２ａを併せて、仮想線７ａのところで折り曲げて拡げると頭を通すための孔６（図５）が形成される。なお、仮想線７ａは、後述する図５の折れ線７に相当する。【００２１】  ここで、図４を参照して、切り残し上端２１よりの第２の切り込みが斜め下外方向であることの意味するところについて説明する。
一般に、飲食落下物は口からほぼ垂直に落下する。この時の飲食落下物の広がりは、飲食落下物の落下方向（図中のＯＡ線の方向）に対して、角度θ＝０度〜４５度の範囲にある。なお、ＯＢ線の方向は飲食落下物の最大広がり方向とし、点Ｏは首掛け孔片１１の中心（飲食落下物の落下基点の口と想定する位置よりやや上方）とする。
そして、第２の切り込み３が胸の位置に在ると、胸の張りで第２の切り込み３が拡がり、飲食落下物がその切込部分に浸入する恐れがある。【００２２】  従って、本実施例のエプロンでは、第２の切り込み３が上記落下物の拡がり範囲を回避するよう、第２の切り込み３を切り残しの上端２１より斜め下外方向に入れる構成とする。この構成により、第２の切り込み３が飲食落下物の拡がり範囲から遠ざけられるので、本実施例のエプロン１は、飲食落下物に依る汚染防止の確率が高いという利点を有する。【００２３】  なお、第２の切り込み３の一部が上記拡がり範囲に在る構成であっても可であり、第２の切り込み３の全てが上記広がり範囲を回避する構成であると限定するものではない。【００２４】  第３の切り込み４の形状は、切り残し下端２２から第３の切り込み４の末端４１までの渦巻き線である。このとき、第３の切り込み４を第１の切り込み２に連続して入れる構成とする。この渦巻き線を第１の切り込み２の内側に入れることにより、図１の円形のエプロン片１１を図４のテープ片１１ａに変形することができる。変形されたテープ片は、その幅を調節して首５１に巻きつけることが可能となる長さとする。
このテープ片１１ａが首５１に巻きつけられる構成は、円形のエプロン片１１をエプロン外縁の下などに巻き込む構成に比べて、首周りの開口空白部の閉塞が十分に行われ、汚染防止性能を向上するという利点がある。【００２５】  なお、第３の切り込み４は、渦巻き線に限定するものではない。また、その長さも、必ずしも首の周りに回すことが出来る長さとは限らない。たとえば、前記切り残しの下端２２より前記円形のエプロン片１１の中心点までの曲線的又は直線的切込み（図示せず）により、短いテープ片を形成することも可能である。
この短いテープ片の長さは、前記実施例１の円形のエプロン片１１の直径よりは長くなるので、このテープ片のエプロン縁または衣服の襟の下への差し込みや巻き込みは実施例１よりは容易になる。ただし、この短いテープ片では、渦巻状のテープ片を首の周りに巻きつける方式に比べて、首下の開口空白部の縮小が多少不確実となる。【００２６】  次に、図１に示すエプロン１の材料と形状・寸法の一例について説明する。
本実施例のエプロン１の材料は、布状の撥水性のある合成樹脂不織布である。また、エプロン１は、上円下方の形状であり、その縦方向の長さ寸法は約７００ｍｍであり、横方向の幅寸法は約４００ｍｍである。
第１の円形の切り込み２の直径は約１４０ｍｍである。また、第２の切り込み３の長手寸法は約２４０ｍｍである。また、仮想線７ａ（折れ線７相当）の長さは約２３０ｍｍである。これらの寸法であれば、頭を通すことが可能な孔６が形成される。
切残し２３の寸法は直線で約７０ｍｍであり、テープ１１ａの幅寸法は、細い所で１５ｍｍ、太い所で３０ｍｍである。なお、上記の材料と形状・寸法に限定するものではない。エプロンの材料は、織布、紙、ビニール・シート等でも良い。【００２７】  さらに、図５から図７を参照して、エプロン１の使い方について説明する。図５は、図４のエプロンの装着開始段階を示す斜視図であり、図６は、図４のエプロンの装着中間段階を示す斜視図であり、図７は、図４のエプロンの装着終了段階を示す斜視図である。【００２８】  図５では、テープ片１１ａ及びエプロン片１２ａを拡げて、上半身マネキンの首５１（断面図示）にエプロン１を掛けた状態を示している。
即ち、エプロン片１２ａは、テープ片１１ａとともに折れ線７で曲げられて、使用者の頭を通すことが可能な孔６を形成する。また、テープ片１１ａが下に折り曲げられた跡は、使用者の首に掛けることができる大きさの円形の孔２ａが形成される。そして、円形の孔２ａの上縁を首の後ろに掛けてエプロン１を身体に装着する。
このとき、開口空白部の孔６が形成されて、首周りが大きく開いている。そして、テープ片１１ａと、エプロン片１２ａとが、首５１の前に垂れ下がっている。また、図４に示す切り残し上端２１は、図５では、切り残し外側上端２１ａと、切り残し内側上端２１ｂに分かれている。さらに、切り残し下端２２は、下に垂れた位置に移動している。【００２９】  図６では、テープ１１ａを時計回りに首５１の前から後ろへ回し更に後ろから前に回して、首５１に巻きつける。そして、短くなったテープ片１１ａを胸上に垂らしている状態を示している。
即ち、図５のように垂れ下がっていたエプロン片１２ａは、切残し２３を介し連繋する首掛け孔テープ片１１ａが首５１に巻きつけられることにより引き上げられる。これにより、エプロン片１２ａは、下に垂れた状態から上方に引き戻されて、開口空白部としての孔６（図５参照）を閉塞する。このようにして、首周りの開口空白部は縮小し、ほぼ無くなる。【００３０】  このとき、第２の切り込み３の外側切込縁３ａと、第２の切り込み３の内側切込縁３ｂを重ねて、両者の間に隙間が生じないように、エプロン１を装着する。例えば、エプロン１の中央下端を下方に引っ張り、外側切込縁３ａを首５１に近寄らせ、内側切込み縁３ｂをその上に重ねてテープ１１ａを首５１に巻きつける。【００３１】  図７では、図６に示す胸上に垂れたテープ１１ａを首５１に巻きつけて、その末端４１をエプロン片１２ａの下に差し込んで開口空白部をほぼ無くした状態を示している。
このテープの末端４１や中間部の差込みや巻き込みは、衣服の襟の下でも良い。【００３２】  以上のように、第２の実施例によるエプロンは、先ず、上部中央に、首の外周よりやや大きい円の外周に沿って、その円の外周の左右いずれか一方に切残し２３を残して第１の切り込み２を入れる。
次に、第１の切り込み２の切り残しの上端２１より斜め下外方向に、第１の切り込み２と併せて拡げれば、頭を通すことが可能となる孔６を形成する長さの、第２の切り込み３を入れる。
そして、第１の切り込み２の切り残しの下端２２より、第１の切り込み２の内側に、テープ片１１ａを形成する第３の切り込み４を入れる。さらに、３個のそれぞれの切り込み２，３，４は連続した構成とする。
この構成によって、エプロンの身体への装着の簡易化、費用の削減、そして首周りの開口空白部の縮小を効果的に達成するエプロンが提供される。【００３３】  ところで、第１の切り込み２、第２の切り込み３、そして第３の切り込み４は、ミシン目或いは上下左右の要点に短い切残しを有する構成（図示せず）とする。この構成であれば、エプロン片１１、テープ片１１ａやエプロン片１２ａの位置がずれてバラバラになることが回避され、エプロンの製造、保管、運搬などの工程における取扱性が向上するという利点がある。
【産業上の利用可能性】
【００３４】  本発明にかかるエプロンは、身体への装着が容易に行えるとともに、飲食落下物による汚染防止が確実に行えるという効果を有し、病院、介護施設、老人ホーム、乳幼児施設、レストランや家庭などで使用するエプロンとして有用である。即ち、看護師、付添人、母親、家族などの介護者や、自ら着用する者本人の手間を軽減することができる。
また、歯科での治療時の薬液の飛沫などによる身体衣服の汚染防止用にも使用できる。更にまた、上部中央の円形の切込みの後方の面積を広くすれば、理髪、美容に際して、落下する毛髪や理容液による身体衣服の汚染防止用への使用も可能となる。
また、本発明のエプロンは、安価に提供されるので、各種施設や家庭での経費を削減できる。
【符号の説明】
【００３５】  １      エプロン
２      第１の切り込み（太線で図示）
２ａ    首を入れることが可能な孔
３      第２の切り込み
３ａ    第２の切り込みの外側切込縁
３ｂ    第２の切り込みの内側切込縁
４      第３の切り込み（細線で図示）
６      頭を通すことが可能な孔（首を入れることが可能な孔２ａを含む）
７      エプロン折れ線
７ａ    第２の切込み下端３１よりの直線が第一の切り込みとの接点に至る仮想線
１０      エプロンの外縁
１１      第１の切込みによる円形のエプロン片
１１ａ    第３の切込みによるテープ片
１２      第２の切込み、直線７ａ、切り残し２３、及び第１の切込みに囲まれた部分
１２ａ    第２の切り込み下部エプロン片（１２と同位置）
２１      切り残し上端
２１ａ    第２の切り込み外側上端
２１ｂ    第２の切り込み内側上端
２２      切り残し下端
２３      切残し
２４      直線７ａと第１の切込みとの接点
３１      第２の切り込み下端
４１      テープ片末端
５１      首（断面で図示）
【要約】
【課題】  装着を簡易化し、費用を削減し、首周りの開口空白部を縮小することができるエプロンを提供する。
【解決手段】エプロンの上部中央に、首を入れることが可能な大きさの、円形で一部切り残しのある第１の切り込みと、前記切り残しの上端より斜め下外方向に前記第１の切り込みと併せれば頭を通すことが可能となる長さの第２の切込みとを入れ、さらに前記切り残しの下端より第１の切り込みの内側にテープ片を形成する第３の切込みを入れる。
この方式によれば、装着は容易で、製造コスト他諸費用を削減出来る。
また、第１の切込みと第２の切込みとを併せて拡げれば出来る孔に頭を通しテープ片を首の周りに巻きつけると、エプロンは簡単確実に装着保持出来、開口空白部はほぼ無くなる。
【選択図】図４【図１】
0004702673.tif 000002
【図２】
0004702673.tif 000003
【図３】
0004702673.tif 000004
【図４】
0004702673.tif 000005
【図５】
0004702673.tif 000006
【図６】
0004702673.tif 000007
【図７】
0004702673.tif 000008